(57)【要約】      （修正有）【課題】複数種類の現像剤が混合された混合物を用いることに起因する画像の質の低下を抑えるための処理を行わない場合に比べ、複数種類の現像剤が混合された混合物を用いて形成する画像の質の低下を抑える。【解決手段】用紙Ｐに転写される像を保持する像保持体と、複数種類の現像剤が混合された混合物を像保持体に付着させ、像保持体上に像を形成する現像手段と、像保持体上に形成された像を用紙Ｐに転写する転写手段二次転写ロール１３４と、用紙Ｐに転写される像における複数種類の現像剤の比率が予め定められた比率に近づくように、転写手段が転写を行う際の条件である転写条件４Ｈを変更する変更手段と、を備える画像形成装置。【選択図】図４
2020154091.tif 000002
【特許請求の範囲】
【請求項１】
記録材に転写される像を保持する像保持体と、
複数種類の現像剤が混合された混合物を前記像保持体に付着させ、当該像保持体上に像を形成する現像手段と、
前記像保持体上に形成された像を記録材に転写する転写手段と、
記録材に転写される前記像における前記複数種類の現像剤の比率が予め定められた比率に近づくように、前記転写手段が転写を行う際の条件である転写条件を変更する変更手段と、
を備える画像形成装置。
【請求項２】
記録材に転写される前記像における色のずれに関する情報を取得するずれ情報取得手段を更に備え、
前記変更手段は、前記ずれ情報取得手段により取得された情報が予め定められた条件を満たしている場合に、前記転写条件の変更を行う請求項１に記載の画像形成装置。
【請求項３】
記録材に転写された前記像を読み取る読み取り手段を更に備え、
前記ずれ情報取得手段は、前記読み取り手段による読み取り結果を解析して、前記ずれの量についての情報を取得し、
前記変更手段は、前記ずれの量についての情報により特定される量が予め定められた閾値を超えている場合に、前記転写条件の変更を行う請求項２に記載の画像形成装置。
【請求項４】
前記ずれ情報取得手段は、前記混合物に関する情報に基づき、前記ずれの量についての情報を取得する際に用いる指標を決定し、決定した指標を用いて、前記ずれの量についての情報を取得する請求項３に記載の画像形成装置。
【請求項５】
前記像保持体上の像は、当該像が記録材へ転写される転写部であって電圧が印加される当該転写部にて記録材へ転写され、
前記変更手段は、前記転写部に印加される電圧の大きさを変更して、前記複数種類の現像剤の比率が前記予め定められた比率に近づくようにする請求項１に記載の画像形成装置。
【請求項６】
前記混合物には、電界を作用させた際に移動しやすい方の現像剤である一の種類の現像剤と、当該一の種類の現像剤よりも移動しにくい方の現像剤である他の種類の現像剤とが含まれ、
前記混合物により形成された像が記録材に転写されることにより当該記録材上に形成される転写像には、前記一の種類の現像剤と前記他の種類の現像剤とが含まれ、
前記変更手段は、電圧を印加した際に移動しやすい方の前記現像剤である前記一の種類の現像剤の前記転写像における割合が予め定められた割合よりも大きい場合、前記転写部に印加される電圧を小さくする請求項５に記載の画像形成装置。
【請求項７】
前記混合物には、電界を作用させた際に移動しやすい方の現像剤である一の種類の現像剤と、当該一の種類の現像剤よりも移動しにくい方の現像剤である他の種類の現像剤とが含まれ、
前記混合物により形成された像が記録材に転写されることにより当該記録材上に形成される転写像には、前記一の種類の現像剤と前記他の種類の現像剤とが含まれ、
前記変更手段は、電圧を印加した際に移動しにくい方の前記現像剤である前記他の種類の現像剤の前記転写像における割合が予め定められた割合よりも大きい場合、前記転写部に印加される電圧を大きくする請求項５に記載の画像形成装置。
【請求項８】
記録材上に転写される像における色のずれであって、前記予め定められた比率にある前記複数種類の現像剤により形成される像の色を比較対象とした場合の色のずれである比較ずれを特定できるようになっており、
前記変更手段は、転写条件を新たな転写条件に変更するにあたり、当該転写条件を次第に変更して、前記比較ずれが予め定められた範囲内に収まるようになる転写条件を特定し、特定した当該転写条件を、当該新たな転写条件とする請求項１に記載の画像形成装置。
【請求項９】
前記変更手段は、前記転写条件を次第に変更して、前記比較ずれが最も小さくなる転写条件を特定し、特定した当該転写条件を、前記新たな転写条件とする請求項８に記載の画像形成装置。
【請求項１０】
前記像保持体上の像は、当該像が記録材へ転写される転写部であって電圧が印加される当該転写部にて当該記録材に転写され、
前記変更手段は、前記転写部に印加される電圧の値が次第に大きくなるように又は次第に小さくなるように当該電圧を次第に変更して、前記比較ずれが前記予め定められた範囲内に収まるようになる電圧を特定し、特定した当該電圧を、前記新たな転写条件とする請求項８に記載の画像形成装置。
【発明の詳細な説明】
【技術分野】
【０００１】
本発明は、画像形成装置に関する。
【背景技術】
【０００２】
特許文献１には、二次色であるＲＧＢの測色値と各々の目標色値とのずれを求め、そのずれから二次転写不足や定着不足の有無を判定する処理が開示されている。
特許文献２には、重ね合わせトナー像に特色トナーが含まれる場合には、特色トナーが含まれない場合に比べて２次転写圧を低くする処理が開示されている。
特許文献３には、トナー像の色調を測定し、その色調が基準値に対してずれている方向を特定し、そのずれが補正されるように２次転写部の２次転写電圧を制御する処理が開示されている。
【先行技術文献】
【特許文献】
【０００３】
【特許文献１】特開２００６−２５９１４２号公報
【特許文献２】特開２０１６−７１３１５号公報
【特許文献３】特開２０１４−１０２４４３号公報
【発明の概要】
【発明が解決しようとする課題】
【０００４】
複数種類の現像剤が混合された混合物を用いて現像を行って像を形成する場合、現像剤毎の性能の違いに起因して、形成される像に、本来の比率とは異なる比率で各現像剤が含まれてしまうことがある。この場合、例えば、本来の色とは異なる色で画像が形成され、形成される画像の質の低下を招く。
本発明の目的は、複数種類の現像剤が混合された混合物を用いることに起因する画像の質の低下を抑えるための処理を行わない場合に比べ、複数種類の現像剤が混合された混合物を用いて形成する画像の質の低下を抑えることにある。
【課題を解決するための手段】
【０００５】
請求項１に記載の発明は、記録材に転写される像を保持する像保持体と、複数種類の現像剤が混合された混合物を前記像保持体に付着させ、当該像保持体上に像を形成する現像手段と、前記像保持体上に形成された像を記録材に転写する転写手段と、記録材に転写される前記像における前記複数種類の現像剤の比率が予め定められた比率に近づくように、前記転写手段が転写を行う際の条件である転写条件を変更する変更手段と、を備える画像形成装置である。
請求項２に記載の発明は、記録材に転写される前記像における色のずれに関する情報を取得するずれ情報取得手段を更に備え、前記変更手段は、前記ずれ情報取得手段により取得された情報が予め定められた条件を満たしている場合に、前記転写条件の変更を行う請求項１に記載の画像形成装置である。
請求項３に記載の発明は、記録材に転写された前記像を読み取る読み取り手段を更に備え、前記ずれ情報取得手段は、前記読み取り手段による読み取り結果を解析して、前記ずれの量についての情報を取得し、前記変更手段は、前記ずれの量についての情報により特定される量が予め定められた閾値を超えている場合に、前記転写条件の変更を行う請求項２に記載の画像形成装置である。
請求項４に記載の発明は、前記ずれ情報取得手段は、前記混合物に関する情報に基づき、前記ずれの量についての情報を取得する際に用いる指標を決定し、決定した指標を用いて、前記ずれの量についての情報を取得する請求項３に記載の画像形成装置である。
請求項５に記載の発明は、前記像保持体上の像は、当該像が記録材へ転写される転写部であって電圧が印加される当該転写部にて記録材へ転写され、前記変更手段は、前記転写部に印加される電圧の大きさを変更して、前記複数種類の現像剤の比率が前記予め定められた比率に近づくようにする請求項１に記載の画像形成装置である。
請求項６に記載の発明は、前記混合物には、電界を作用させた際に移動しやすい方の現像剤である一の種類の現像剤と、当該一の種類の現像剤よりも移動しにくい方の現像剤である他の種類の現像剤とが含まれ、前記混合物により形成された像が記録材に転写されることにより当該記録材上に形成される転写像には、前記一の種類の現像剤と前記他の種類の現像剤とが含まれ、前記変更手段は、電圧を印加した際に移動しやすい方の前記現像剤である前記一の種類の現像剤の前記転写像における割合が予め定められた割合よりも大きい場合、前記転写部に印加される電圧を小さくする請求項５に記載の画像形成装置である。
請求項７に記載の発明は、前記混合物には、電界を作用させた際に移動しやすい方の現像剤である一の種類の現像剤と、当該一の種類の現像剤よりも移動しにくい方の現像剤である他の種類の現像剤とが含まれ、前記混合物により形成された像が記録材に転写されることにより当該記録材上に形成される転写像には、前記一の種類の現像剤と前記他の種類の現像剤とが含まれ、前記変更手段は、電圧を印加した際に移動しにくい方の前記現像剤である前記他の種類の現像剤の前記転写像における割合が予め定められた割合よりも大きい場合、前記転写部に印加される電圧を大きくする請求項５に記載の画像形成装置である。
請求項８に記載の発明は、記録材上に転写される像における色のずれであって、前記予め定められた比率にある前記複数種類の現像剤により形成される像の色を比較対象とした場合の色のずれである比較ずれを特定できるようになっており、前記変更手段は、転写条件を新たな転写条件に変更するにあたり、当該転写条件を次第に変更して、前記比較ずれが予め定められた範囲内に収まるようになる転写条件を特定し、特定した当該転写条件を、当該新たな転写条件とする請求項１に記載の画像形成装置である。
請求項９に記載の発明は、前記変更手段は、前記転写条件を次第に変更して、前記比較ずれが最も小さくなる転写条件を特定し、特定した当該転写条件を、前記新たな転写条件とする請求項８に記載の画像形成装置である。
請求項１０に記載の発明は、前記像保持体上の像は、当該像が記録材へ転写される転写部であって電圧が印加される当該転写部にて当該記録材に転写され、前記変更手段は、前記転写部に印加される電圧の値が次第に大きくなるように又は次第に小さくなるように当該電圧を次第に変更して、前記比較ずれが前記予め定められた範囲内に収まるようになる電圧を特定し、特定した当該電圧を、前記新たな転写条件とする請求項８に記載の画像形成装置である。
【発明の効果】
【０００６】
請求項１の発明によれば、複数種類の現像剤が混合された混合物を用いることに起因する画像の質の低下を抑えるための処理を行わない場合に比べ、複数種類の現像剤が混合された混合物を用いて形成する画像の質の低下を抑えることができる。
請求項２の発明によれば、色のずれを検知するずれ検知手段を設けない場合に比べ、色のずれが生じていないにも関わらず転写条件が変更されることを抑制することができる。
請求項３の発明によれば、ずれの量についての情報により特定される量が予め定められた閾値を超えているか否かに関わらず、転写条件の変更が行われる場合に比べ、ずれが小さいにも関わらず転写条件の変更が行われることを抑制できる。
請求項４の発明によれば、混合物についての情報とは無関係に指標を決定する場合に比べ、混合物により適した指標を決定することができる。
請求項５の発明によれば、転写部に印加される電圧を変更して、複数種類の現像剤の比率を予め定められた比率に近づけることができる。
請求項６の発明によれば、転写部に印加される電圧を変更しない場合に比べ、電界が作用した際に移動しやすい方の現像剤の転写像における割合を小さくできる。
請求項７の発明によれば、転写部に印加される電圧を変更しない場合に比べ、電界が作用した際に移動しにくい方の現像剤の転写像における割合を小さくできる。
請求項８の発明によれば、記録材上に転写される像における色のずれであって予め定められた比率にある複数種類の現像剤により形成される像を比較対象とした場合の色のずれを、予め定められた範囲内に収めることができる。
請求項９の発明によれば、記録材上に転写される像における色のずれであって予め定められた比率にある複数種類の現像剤により形成される像を比較対象とした場合の色のずれを、最小とすることができる。
請求項１０の発明によれば、記録材上に転写される像における色のずれであって予め定められた比率にある複数種類の現像剤により形成される像を比較対象とした場合の色のずれを、予め定められた範囲内に収めることができる。
【図面の簡単な説明】
【０００７】
【図１】画像形成装置を示した図である。
【図２】制御装置によって実現される機能部を示した図である。
【図３】画像形成装置にて実行される処理の流れを示したフローチャートである。
【図４】（Ａ）〜（Ｄ）は、転写条件の変更処理の具体例を示した図である。
【図５】（Ａ）〜（Ｄ）は、転写条件の変更処理の他の具体例を示した図である。
【図６】二次転写電圧を低下させた場合の影響を説明する図である。
【図７】二次転写電圧を上げた場合の影響を説明する図である。
【発明を実施するための形態】
【０００８】
以下、添付図面を参照して、本発明の実施の形態について詳細に説明する。
図１は、本発明の実施形態に係る画像形成装置１を示した図である。
本実施形態の画像形成装置１は、画像形成部１０、用紙搬送部２０、画像読み取り部３０、制御装置４０を備える。
【０００９】
画像形成部１０は、複数の画像形成ユニット１１（１１Ｙ，１１Ｍ，１１Ｃ，１１Ｋ、１１Ｔ）と、中間転写ベルト１２と、二次転写部１３と、定着器１４と、冷却器１５とを備える。
本実施形態では、画像形成ユニット１１として、Ｙ（イエロー）、Ｍ（マゼンタ）、Ｃ（シアン）、Ｋ（ブラック）、Ｔ（特色）の５つの色のそれぞれに対応した５つの画像形成ユニット１１Ｙ，１１Ｍ，１１Ｃ，１１Ｋ，１１Ｔが設けられている。
この５つの画像形成ユニット１１は、中間転写ベルト１２の移動方向において並んで配置されている。
【００１０】
画像形成ユニット１１の各々は、感光体ドラム１１１、帯電装置１１２、露光装置１１３、現像装置１１４を有し、電子写真方式を用いて画像を形成する。
より具体的には、画像形成ユニット１１の各々は、トナーを含んだ現像剤により形成された画像を、中間転写ベルト１２上に形成する。なお、本実施形態では、現像剤として、トナーとキャリアからなる２成分現像剤を用いている。
【００１１】
付言すると、本実施形態では、画像形成ユニット１１は、ＹＭＣＫの各色の画像、および、特色の画像を形成する。そして、本実施形態では、形成されたこれらの画像は、中間転写ベルト１２へ転写される。
これにより、中間転写ベルト１２上には、ＹＭＣＫの各色の画像、特色の画像が形成される。
【００１２】
像保持体の一例としての感光体ドラム１１１は、予め定めた速度で図中矢印Ａ方向に回転する。また、帯電装置１１２によって、感光体ドラム１１１の表面が帯電される。さらに、露光装置１１３が、帯電した感光体ドラム１１１の表面に光を照射する。
これにより、感光体ドラム１１１の外周面に、形成される画像に対応した静電潜像が形成される。
【００１３】
その後、現像手段の一例である現像装置１１４が、感光体ドラム１１１に対する現像を行い、感光体ドラム１１１の上に画像を形成する。
より具体的には、現像装置１１４は、静電潜像が形成された感光体ドラム１１１の表面に現像剤を付着させて、感光体ドラム１１１の表面に画像を形成する。
【００１４】
画像形成ユニット１１Ｙ，１１Ｍ，１１Ｃ，１１Ｋ、１１Ｔの各々では、感光体ドラム１１１の表面に、イエロー、マゼンタ、シアン、黒、特色の画像が形成される。
なお、画像形成ユニット１１Ｔに設けられた現像装置１１４（以下、「特色用現像装置１１４Ｘ」と称する）では、２種類の現像剤が混合された混合物を用いて、感光体ドラム１１１に対する現像を行う。
【００１５】
言い換えると、画像形成ユニット１１Ｔでは、互いに異なる色の２種類以上の現像剤が混合した混合物が用いられて、感光体ドラム１１１の表面に、イエロー、マゼンタ、シアン、黒以外の色である特色の画像が形成される。
付言すると、画像形成ユニット１１Ｔでは、互いに異なる色の２種類以上の現像剤が混合した混合物を感光体ドラム１１１に付着させ、感光体ドラム１１１に画像を形成する。
なお、以下の説明では、特色用現像装置１１４Ｘに収容された混合物が、２種類の現像剤により構成される場合を一例に説明するが、特色用現像装置１１４Ｘに収容される混合物は、３種類以上の現像剤により構成してもよい。
【００１６】
感光体ドラム１１１の各々に形成される画像は、転写手段として機能する、中間転写ベルト１２および二次転写ロール１３４によって、用紙Ｐ上に転写される。
具体的には、本実施形態では、まず、感光体ドラム１１１の各々に形成される像は、一次転写部１１５にて、中間転写ベルト１２上に転写（一次転写）される。これにより、中間転写ベルト１２上には、複数の色により構成されたカラーの画像が形成される。
【００１７】
ここで、中間転写ベルト１２は、複数のロール状部材１２１によって支持されている。また、中間転写ベルト１２は、図中矢印Ｂ方向に循環移動する。
中間転写ベルト１２上に形成された画像は、中間転写ベルト１２の移動に伴って二次転写部１３まで移動する。そして、二次転写部１３まで移動した画像は、二次転写部１３にて、用紙搬送部２０により搬送されてきた、記録材の一例としての用紙Ｐに転写される。
【００１８】
二次転写部１３には、中間転写ベルト１２の外周面に接触する二次転写ロール１３４と、中間転写ベルト１２の内側に配置され二次転写ロール１３４の対向電極をなすバックアップロール１３２とが設けられている。
本実施形態では、二次転写ロール１３４とバックアップロール１３２との間に電圧（以下、「二次転写電圧」と称する）が印加され、この二次転写電圧によって、中間転写ベルト１２上の画像が、二次転写ロール１３４側へ引き寄せられる。
これにより、中間転写ベルト１２上の画像が、中間転写ベルト１２と二次転写ロール１３４との間に位置する用紙Ｐへ転写される。
【００１９】
さらに、本実施形態では、二次転写ロール１３４を中間転写ベルト１２から離れる方向へ移動させ、二次転写ロール１３４を中間転写ベルト１２から離間させる離間機構２８０が設けられている。この離間機構２８０は、特に限定されるものはなく公知の機構により構成される。
さらに、本実施形態では、中間転写ベルト１２の移動方向において、二次転写部１３よりも下流側に、二次転写後の中間転写ベルト１２の外周面を清掃するベルトクリーナ１２４が設けられている。
【００２０】
用紙搬送部２０には、複数枚の用紙Ｐが積み重ねられた状態で収容される用紙収容部２１、用紙収容部２１に収容された用紙Ｐを送り出す送り出しロール２２が設けられている。
また、用紙搬送部２０には、送り出しロール２２により送り出された用紙Ｐを搬送する搬送ロール２３、搬送ロール２３により搬送されてきた用紙Ｐを二次転写部１３へ案内する案内部材２４が設けられている。
さらに、用紙搬送部２０には、二次転写後の用紙Ｐを定着器１４へと搬送する搬送ベルト２５、定着後の用紙Ｐを冷却器１５へ案内する案内部材２６が設けられている。
【００２１】
定着器１４は、用紙Ｐの搬送方向において、二次転写部１３よりも下流側に配置されている。定着器１４は、加熱源（不図示）を有する定着ロール１４１と、定着ロール１４１に押し当てられる加圧ロール１４２とを備える。
二次転写部１３を通過した用紙Ｐは、定着ロール１４１と加圧ロール１４２との間を通過する。これにより、この用紙Ｐは、加圧および加熱され、用紙Ｐの上の画像が用紙Ｐに定着される。
なお、本実施形態では、定着器１４よりも下流側に、冷却器１５が設けられている。この冷却器１５は、定着器１４から搬送されてきた用紙Ｐの冷却を行う。
【００２２】
画像読み取り部３０は、用紙Ｐに形成された画像の読み取りを行う。より具体的には、画像読み取り部３０は、二次転写部１３にて用紙Ｐに転写された画像の読み取りを行う。
画像読み取り部３０には、用紙Ｐへの光を出射する光源、用紙Ｐからの反射光を受光するイメージセンサ３２３、用紙Ｐからの反射光をイメージセンサに導く結像レンズ３２２が設けられている。
【００２３】
イメージセンサ３２３は、例えば、ＣＣＤイメージセンサにより構成される。具体的には、イメージセンサ３２３には、Ｒ、Ｇ、Ｂの３色の成分の検出が可能なように、Ｒ、Ｇ、Ｂの３色に対応する３つのラインセンサが設けられる。
各ラインセンサは、主走査方向に沿って設けられている。また、各ラインセンサでは、光電変換素子（フォトダイオード（ＰＤ））が主走査方向に沿って並んでいる。
【００２４】
制御装置４０は、ＣＰＵ（Central Processing Unit）、ＲＯＭ（Read Only Memory）、ＲＡＭ（Random Access Memory）、およびＨＤＤ（Hard Disk Drive）（何れも不図示）を備える。ＣＰＵでは、処理プログラムが実行される。ＲＯＭ、ＨＤＤには、各種プログラム、各種テーブル、パラメータ等が記憶されている。ＲＡＭは、ＣＰＵによる処理プログラムの実行時におけるワークエリア等として用いられる。
【００２５】
図２は、制御装置４０によって実現される機能部を示した図である。
本実施形態では、ＲＯＭ（Read Only Memory）やＨＤＤに格納されたプログラムをＣＰＵが実行することで、転写条件変更部４１、ずれ情報取得部４２の各機能部が実現される。
変更手段の一例としての転写条件変更部４１は、感光体ドラム１１１上に形成された画像が用紙Ｐに転写される際の条件である転写条件の変更を行う。
【００２６】
付言すると、転写条件変更部４１は、転写手段として機能する、中間転写ベルト１２および二次転写ロール１３４が用紙Ｐへの画像の転写を行う際の条件である転写条件を変更する。
ずれ情報取得手段の一例としてのずれ情報取得部４２は、用紙Ｐに転写された画像における色のずれに関する情報を取得する。
【００２７】
本実施形態では、上記のように、画像形成ユニット１１Ｔでは、２種類以上の現像剤が混合された混合物を用いて画像を形成する。
この場合、現像剤毎の性能の違い（例えば、帯電性能の違い）に起因して、用紙Ｐ上に形成される画像に、本来の比率とは異なる比率で各現像剤が含まれることがある。
この場合、例えば、本来の色とは異なる色で画像が形成され、形成される画像の質の低下を招く。
【００２８】
本実施形態では、形成される画像に、本来の比率とは異なる比率で各現像剤が含まれる場合、後述するように、転写条件変更部４１が、用紙Ｐに転写される画像における現像剤の比率が予め定められた比率（本来の比率）に近づくように、転写条件を変更する。
より具体的には、転写条件変更部４１は、二次転写部１３にて転写が行われる際の条件である転写条件を変更する。
これにより、比率が高まっている方の現像剤が、用紙Ｐへ転写されにくくなり、用紙Ｐ上に形成される画像に、本来の比率に近い比率で各現像剤が含まれるようになる。
【００２９】
図３は、本実施形態の画像形成装置１にて実行される処理の流れを示したフローチャートである。
本実施形態では、まず、ずれ情報取得部４２が、特色用現像装置１１４Ｘにて用いられている混合物についての情報（複数種類の現像剤の各々についての情報）（以下、「混合物情報」と称する）を取得する（ステップＳ１０１）。
【００３０】
具体的には、ずれ情報取得部４２は、情報記憶媒体（メモリ）から読み出された情報を取得して、混合物情報を取得する。
より具体的には、ずれ情報取得部４２は、混合物を収容したカートリッジ（不図示）に取り付けられた情報記憶媒体（メモリ）からの情報を取得して、混合物情報を取得する。
【００３１】
より具体的には、本実施形態では、画像形成装置１に、各色のカートリッジがセットされ、このカートリッジから、画像形成ユニット１１の各々へ現像剤が供給される。
ずれ情報取得部４２は、混合物情報の取得にあたっては、このカートリッジに取り付けられた情報記憶媒体から読み出された混合物情報を取得して、混合物情報を得る。
【００３２】
次いで、本実施形態では、ずれ情報取得部４２が、取得された混合物情報に基づき、ずれの量についての情報を取得する際に用いる指標（詳細は後述）を決定する（ステップＳ１０２）。
具体的には、本実施形態では、後述するように、ずれ情報取得部４２は、色相、明度、彩度などの指標を用いて、色のずれの量についての情報を取得するが、ステップＳ１０２では、色のずれの量についての情報を取得する際に用いるこの指標を決定する。
【００３３】
付言すると、ずれ情報取得部４２は、混合物情報に基づき、複数の指標の中から、色のずれを検知する際に用いる１つの指標を決定する。
次いで、本実施形態では、画像形成ユニット１１Ｔ（特色用現像装置１１４Ｘ）が用いられて、用紙Ｐへの画像形成が行われる（ステップＳ１０３）。
これにより、用紙Ｐには、色のずれの検知に用いられる、混合物により形成されたずれ検知用画像が形成される。
【００３４】
そして、本実施形態では、ずれ情報取得部４２が、用紙Ｐに形成されたこのずれ検知用画像を解析して（画像読み取り部３０による読み取り結果を解析して）、ずれ検知用画像における色のずれを検知する。
言い換えると、ずれ情報取得部４２は、用紙Ｐに形成されたこのずれ検知用画像を解析して、用紙Ｐに転写される画像における色のずれに関する情報を取得する。
【００３５】
具体的には、ずれ情報取得部４２は、ずれ検知用画像から得られる色についての情報と、色について予め定められた規定値との差を取得する（ステップＳ１０４）。
言い換えると、ずれ情報取得部４２は、用紙Ｐ上に転写される画像における色のずれであって、上記の予め定められた比率（ユーザが本来望んでいる比率）にある複数種類の現像剤により形成される画像の色を比較対象とした場合の色のずれである比較ずれを把握する。
【００３６】
付言すると、ずれ情報取得部４２は、予め定められた比率（ユーザが本来望んでいる比率）にある複数種類の現像剤により形成される画像を目標画像とした場合に、この目標画像と、用紙Ｐに実際に転写された画像との間に生じる色のずれを把握する。
付言すると、ずれ情報取得部４２は、用紙Ｐ上に転写される画像における色のずれであって、目標画像を比較対象とした場合の色のずれである比較ずれを把握する。
【００３７】
より具体的には、ずれ情報取得部４２は、ずれに関する情報の取得にあたり（比較ずれの取得にあたり）、まず、画像読み取り部３０により得られたＲＧＢ色空間の読み取り画像（ずれ検知用画像の読み取り画像）の変換処理を行って、Ｌａｂ色空間の画像情報を得る。
そして、ずれ情報取得部４２は、このＬａｂ色空間の画像情報に含まれる一部の情報と、規定値との差を取得する。
【００３８】
そして、本実施形態では、この差が、予め定められた範囲に収まっているか否かを判断し（ステップＳ１０５）、予め定められた範囲に収まっている場合（差が、予め定められた範囲内にある場合）は、転写条件の変更を行わず（ステップＳ１０６）、転写条件をそのまま用いる。
付言すると、予め定められた範囲内に収まっている場合、転写条件の変更は行われず、この転写条件がこのまま継続して使用される。
【００３９】
その一方で、本実施形態では、上記の差（比較ずれの量）が、予め定められた範囲に収まっていない場合（予め定められた閾値を超えている場合）は、ステップＳ１０７以降の処理を行う。
付言すると、本実施形態では、ずれ情報取得部４２により取得された、ずれの量についての情報により特定される量が、予め定められた閾値を超えている場合、ステップＳ１０７以降の処理を行う。
言い換えると、本実施形態では、ずれ情報取得部４２により取得された情報が予め定められた条件を満たしている場合、ステップＳ１０７以降の処理が行われ、転写条件変更部４１による転写条件の変更が行われる。
【００４０】
ステップＳ１０７の処理では、転写条件変更部４１が、比率が高まっている方の現像剤を把握する。言い換えると、ステップＳ１０７の処理では、転写条件変更部４１が、ずれ検知用画像にて、いずれの現像剤の比率が高まっているかを把握する。
そして、ステップＳ１０７にて、例えば、比率が高まっている方の現像剤が、高帯電の現像剤であることが把握された場合、転写条件変更部４１が、二次転写電圧を低下させる（ステップＳ１０８）。
一方、ステップＳ１０７にて、例えば、比率が高まっている方の現像剤が、低帯電の現像剤であることが把握された場合、転写条件変更部４１が、二次転写電圧を上昇させる（ステップＳ１０９）。
【００４１】
ステップＳ１０４にて、本実施形態では、ずれ情報取得部４２が、用紙Ｐに転写される画像における色のずれに関する情報（比較ずれについての情報）を取得する。
そして、本実施形態では、ずれ情報取得部４２により取得された、この色のずれに関する情報が予め定められた条件を満たしている場合（色のずれに関する情報が、色ずれが発生していることを示している場合）、転写条件変更部４１が、二次転写電圧の変更を行う。これにより、二次転写電圧が高まったり、低くなったりする。
【００４２】
付言すると、本実施形態では、読み取り手段の一例としての画像読み取り部３０が設けられており、二次転写部１３における転写条件を変更するにあたっては、まず、用紙Ｐに転写されたずれ検知用画像が、この画像読み取り部３０により読み取られる。
次いで、ずれ情報取得部４２が、画像読み取り部３０による読み取り結果を解析して、ずれの量についての情報を取得する。そして、本実施形態では、このずれの量が、予め定められた閾値を超えている場合、二次転写電圧の変更が行われる。
【００４３】
ここで、ステップＳ１０７では、上記のとおり、ずれ検知用画像にて、いずれの現像剤の比率が高まっているかを把握する。
そして、本実施形態では、ステップＳ１０７にて、比率が高まっている方の現像剤が、高帯電の現像剤であることが把握された場合は、転写条件変更部４１が、二次転写電圧を小さくする設定を行う（ステップＳ１０８）。
言い換えると、ずれ検知用画像にて、高帯電の現像剤が多い場合は、転写条件変更部４１が、二次転写電圧を小さくする設定を行う。
【００４４】
一方、ステップＳ１０７にて、比率が高まっている方の現像剤が、低帯電の現像剤であると把握された場合は、ステップＳ１０９にて、転写条件変更部４１が、二次転写電圧を大きくする設定を行う。言い換えると、ずれ検知用画像にて、低帯電の現像剤が多い場合は、転写条件変更部４１が、二次転写電圧を大きくする設定を行う。
これにより、二次転写電圧を変更しない場合に比べ、用紙Ｐ上に形成される画像における、各現像剤の比率が、予め定められた比率に近づくようになる。
【００４５】
付言すると、本実施形態では、中間転写ベルト１２上の画像は、二次転写電圧が印加される二次転写部１３にて用紙Ｐに転写される。転写条件変更部４１は、用紙Ｐに転写される像である転写像において一部の現像剤の比率が高まっている場合、二次転写部１３に印加されるこの二次転写電圧の大きさを変更する。
これにより、中間転写ベルト１２から用紙Ｐに転写される画像（転写像）のおける各現像剤の比率が変化し、この比率が、予め定められた比率に近づくようになる。
【００４６】
図４（Ａ）〜（Ｄ）は、転写条件の変更処理の具体例を示した図である。
図４にて示すこの例では、図４（Ａ）に示すように、混合物情報として、混合物が、イエローの現像剤、緑の現像剤により構成されている旨の情報が取得されている。
また、この例では、混合物情報として、イエローの現像剤が、緑の現像剤よりも大径である旨の情報が取得されている。付言すると、混合物情報として、イエローの現像剤の粒径、緑の現像剤の粒径についての情報が取得されている。
【００４７】
さらに、この例では、混合物情報として、現像剤の比率情報が取得されている。
具体的には、この例では、混合物情報として、用紙Ｐへの転写を行った後の画像において目標としている、現像剤の比率についての情報が取得されている。より具体的には、この例では、混合物情報として、イエローの現像剤、緑の現像剤の比率が、５０：５０である旨の情報が取得されている。
【００４８】
本実施形態では、上記のステップＳ１０１にて、これらの情報を含んだ混合物情報が取得される。
さらに、本実施形態では、ステップＳ１０１にて、予め定められた上記の規定値が、混合物情報として取得される。
付言すると、カートリッジに取り付けられた情報記憶媒体には、規定値も格納されており、ステップＳ１０１では、この規定値についての情報も取得される。
【００４９】
そして、本実施形態では、上記のとおり、ステップＳ１０２にて、ずれ情報取得部４２が、この混合物情報に基づき、ずれの量についての情報を取得する際に用いる指標を決定する。
ここで、この例では、図４（Ｂ）の符号４Ｃで示すように、ずれの量についての情報を取得する際に用いる指標として、ｂ＊を決定した場合を例示している。
【００５０】
そして、この例では、符号４Ｅで示すように、ずれ情報取得部４２が、決定したこの指標ｂ＊を用いて、ずれの量についての情報を取得する。
具体的には、ずれ情報取得部４２は、ずれ検知用画像から得られたｂ＊の値（符号４Ｆで示す値）と、情報記憶媒体から読み出された規定値（ｂ＊に関する規定値）（符号４Ｇで示す値）との差をずれ量として取得する。
言い換えると、ずれ情報取得部４２は、ずれ検知用画像から得られたｂ＊の値と、予め定められた規定値（ｂ＊に関する規定値）との差を、比較ずれとして取得する。
【００５１】
付言すると、本実施形態では、ａ＊、ｂ＊、Ｌ＊の各々について、予め規定値が定められ、この規定値が、情報記憶媒体に格納されている。言い換えると、本実施形態では、目標画像を測色等することにより得られた各規定値（目標画像を基準に生成された各規定値）が、情報記憶媒体に格納されている。
ずれ情報取得部４２は、ずれ検知用画像から得られたｂ＊と、情報記憶媒体から読み出された規定値（ｂ＊に関して定められた規定値）との差を、ずれ量として取得する。
【００５２】
そして、本実施形態では、ずれ情報取得部４２が取得したこのずれ量が、閾値を超えているか否かを判断する。
そして、超えている場合には、上記のように、転写条件変更部４１が、画像における各現像剤の比率が予め定められた比率に近づくように、転写条件を変更する。
言い換えると、転写条件変更部４１は、用紙Ｐ上に形成される画像の色が、目標画像が有する色に近づき、比較ずれが小さくなるように、転写条件を変更する。
【００５３】
より具体的には、この例では、図４（Ｃ）の符号４Ｈで示すように、転写条件変更部４１は、二次転写部１３に印加される二次転写電圧を小さくする。
これにより、図４（Ｄ）の符号４Ｊで示すように、用紙Ｐに転写されるイエローの現像剤が減少し、用紙Ｐに転写される画像における各現像剤の比率が予め定められた比率に近づくようになる。
【００５４】
なお、本実施形態では、転写条件変更部４１は、ずれ情報取得部４２に取得されるずれの量の大きさに応じて、設定する二次転写電圧の大きさ（値）を変更する。
より具体的には、転写条件変更部４１は、転写条件変更部４１は、ずれ情報取得部４２に取得されるずれの量が大きいほど、比率が高まっている現像剤の用紙Ｐへの転写がより起きにくくなるように、二次転写電圧の大きさを変更する。
【００５５】
図５（Ａ）〜（Ｄ）は、転写条件の変更処理の他の具体例を示した図である。
この例では、図５（Ａ）に示すように、混合物情報として、混合物が、無色透明の現像剤と黒の現像剤とにより構成されている旨の情報が取得されている。
さらに、この例では、混合物情報として、無色透明の現像剤の誘電損の方が小さく、黒の現像剤の誘電損の方が大きいことを示す情報が取得されている。付言すると、混合物情報として、無色透明の現像剤の誘電損が、黒の現像剤の誘電損よりも小さいことを示す情報が取得されている。
【００５６】
さらに、この例でも、混合物情報として、現像剤の比率情報が取得されている。
具体的には、この例でも、混合物情報として、用紙Ｐへの転写を行った後の画像において目標としている、現像剤の比率についての情報が取得されている。より具体的には、この例では、混合物情報として、無色透明の現像剤、黒の現像剤の比率が、５０：５０である旨の情報が取得されている。
【００５７】
さらに、この例では、図５（Ｂ）の符号５Ａで示すように、ずれの量についての情報を取得する際に用いる指標として、明度Ｌ＊を決定した場合を例示している。
この場合、ずれ情報取得部４２は、決定したこの指標Ｌ＊を用いて、ずれの量についての情報を取得する。
【００５８】
より具体的には、ずれ情報取得部４２は、ずれ検知用画像から得られたＬ＊の値（符号５Ｂで示す値）と、情報記憶媒体から読み出された規定値（Ｌ＊に関する規定値）（符号５Ｃで示す規定値）との差をずれ量として取得する。
言い換えると、ずれ情報取得部４２は、ずれ検知用画像から得られたＬ＊の値と、予め定められた規定値（Ｌ＊に関する規定値）との差を、比較ずれとして取得する。
【００５９】
そして、この場合も、上記と同様、取得したずれ量が、閾値を超えているか否かを判断する。そして、ずれ量が閾値を超えている場合には、上記と同様、各現像剤の比率が、予め定められた比率に近づくように、転写条件を変更する。
より具体的には、この場合も、図５（Ｃ）の符号５Ｄで示すように、転写条件変更部４１は、二次転写部１３に印加される二次転写電圧を小さくする。
【００６０】
これにより、図５（Ｄ）の符号５Ｆで示すように、用紙Ｐに転写される、無色透明の現像剤が減少し、用紙Ｐに転写される画像における各現像剤の比率が予め定められた比率に近づくようになる。
なお、上記と同様、転写条件変更部４１は、ずれ情報取得部４２に取得されるずれの量が大きいほど、比率が高まっている現像剤の用紙Ｐへの転写がより起きにくくなるように、二次転写電圧の大きさを変更する。
より具体的には、転写条件変更部４１は、ずれ情報取得部４２に取得されるずれの量が大きいほど、二次転写電圧の大きさを小さくする。
【００６１】
本実施形態では、転写条件変更部４１は、用紙Ｐに転写される転写像にて、電界を作用させた際に移動しやすい方の一の種類の現像剤が、この一の種類の現像剤よりも移動しにくい他の種類の現像剤よりも多い場合、二次転写部１３に印加される二次転電圧を、上記のように小さくする。
【００６２】
言い換えると、転写条件変更部４１は、用紙Ｐに転写される転写像にて、上記の一の種類の現像剤の割合が予め定められた割合（本来予定していた割合）よりも大きくなっており、この一の種類の現像剤の比率が高まっている場合、二次転写部１３に印加される二次転写電圧を小さくする。
これにより、電界を作用させた際に移動しやすいこの一の種類の現像剤が、用紙Ｐ側へ移動しにくくなり、用紙Ｐに形成される画像における、この一の種類の現像剤の比率が小さくなる。
【００６３】
電界を作用させた際に移動しやすい一の種類の現像剤としては、例えば、高帯電の現像剤、粒径が大きい現像剤、誘電損が小さい現像剤、金属顔料を含まない現像剤が挙げられる。
本実施形態では、転写像において、これらの現像剤の比率が、予定している比率よりも大きくなっている場合、二次転写部１３に印加される二次転写電圧を小さくする。
これにより、この一の種類の現像剤が、移動しにくくなり、用紙Ｐに形成される画像における、この一の種類の現像剤の比率が小さくなる。
【００６４】
一方、転写条件変更部４１は、用紙Ｐに転写される転写像にて、上記の他の種類の現像剤の割合が予め定められた割合よりも大きくなっており、この他の種類の現像剤の比率が高まっている場合、二次転写部１３に印加される二次転電圧を大きくする。
付言すると、本実施形態では、用紙Ｐに転写される、上記のずれ検知用画像などの転写像において、他の種類の現像剤の割合が、本来予定している割合よりも大きい場合、二次転写電圧を大きくする。
これにより、この他の種類の現像剤が、用紙Ｐ側へ移動しにくくなり、用紙Ｐに形成される画像では、この他の種類の現像剤の比率が小さくなる。
【００６５】
電界を作用させた際に移動しにくい他の種類の現像剤としては、例えば、低帯電の現像剤、粒径が小さい現像剤、誘電損が大きい現像剤、金属顔料を含む現像剤が挙げられる。
本実施形態では、転写像において、これらの現像剤の比率が高まっている場合には、二次転写部１３に印加される二次転写電圧を大きくする。
これにより、この他の種類の現像剤が用紙Ｐ側へ移動しにくくなり、用紙Ｐに形成される画像では、この他の種類の現像剤の比率が小さくなる。
【００６６】
図６は、二次転写電圧を低下させた場合の影響を説明する図である。
ここで、２種類以上の現像剤を含んだ混合物では、上記の高帯電の現像剤、低帯電の現像剤のように、また、符号６Ｂで示すように、現像剤毎に帯電量が異なることがある。
より具体的には、符号６Ｂでは、一の種類の現像剤と他の種類の現像剤との混合物における各現像剤の帯電量（帯電量の分布）を示しているが、この例では、一の種類の現像剤の方が他の種類の現像剤よりも、帯電量が大きい現像剤が多い。
【００６７】
図６の曲線６Ａは、中間転写ベルト１２と現像剤との付着力を示している。
図６の直線６Ｃは、二次転写部１３に二次転写電圧が印加された際に現像剤に作用する力（以下、「作用力」と称する）を示している。付言すると、直線６Ｃは、電界を現像剤に作用させた際に現像剤に作用する力を示している。
【００６８】
本実施形態では、直線６Ｃで示すように、現像剤の帯電量が大きいほど、現像剤に作用する作用力が大きくなる。
また、曲線６Ａで示すように、中間転写ベルト１２と現像剤との間に作用する付着力については、この場合も、現像剤の帯電量が大きいほど、付着力が大きくなる。
【００６９】
本実施形態では、付着力の方が作用力よりも大きい場合、中間転写ベルト１２に現像剤が付着したままの状態となり、用紙Ｐへの現像剤の移動が行われにくくなる。
これとは逆に、符号６Ｈで示す範囲内では、作用力の方が付着力よりも大きくなり、中間転写ベルト１２から現像剤が離れ、用紙Ｐ側へ現像剤が移動する。
【００７０】
ここで、この例では、一の種類の現像剤の方が、他の種類の現像剤よりも、作用力が付着力よりも大きくなる現像剤が多くなる。
この場合、一の種類の現像剤の方が、他の種類の現像剤よりも中間転写ベルト１２から離れやすくなる。そして、この場合、一の種類の現像剤が、他の種類の現像剤よりも用紙Ｐへ移動しやすくなる。
【００７１】
さらに、この例では、付着力と作用力との差６Ｓを比べた場合に、一の種類の現像剤における差の方が、他の種類の現像剤における差よりも大きくなる傾向にある。
また、符号６Ｇで示す範囲内では、他の種類の現像剤に作用する作用力よりも、他の種類の現像剤と中間転写ベルト１２との間に作用する付着力の方が大きい。この場合、符号６Ｇで示す範囲内では、他の種類の現像剤の用紙Ｐへの移動が起こりにくい。
この結果、この例では、一の種類の現像剤の方が、他の種類の現像剤よりも用紙Ｐへより多く移動し、上記のとおり、一の種類の現像剤の比率が高まるという状況が生じうる。
【００７２】
このような状況下において、上記のように、二次転写電圧を低下させると、符号６Ｘで示すように、現像剤に作用する作用力を示す直線の傾きが小さくなる。
そして、この場合、用紙Ｐへ移動する、一の種類の現像剤の量が相対的に減り、用紙Ｐへ移動する、他の種類の現像剤の量が相対的に大きくなる。
これにより、一の種類の現像剤と他の種類の現像剤との比率が、予め定められた比率に近づくようになる。
【００７３】
図７は、二次転写電圧を上げた場合の影響を説明する図である。
二次転写電圧を上げた場合は、帯電量が小さく且つ負に帯電していた、他の種類の現像剤に対して、正の電荷が注入され、符号７Ａで示すように、他の種類の現像剤の一部が正に帯電する。
この場合、この一部の現像剤は、用紙Ｐ側へ移動にしにくくなり、転写像において、他の種類の現像剤の比率が低下する。
【００７４】
付言すると、本実施形態では、転写像にて、低帯電の現像剤など、他の種類の現像剤の比率が高まっている場合、上記のように、二次転写電圧を上昇させる。
これにより、この他の種類の現像剤の一部の帯電極性が変化し、この他の種類の現像剤が用紙Ｐ側へ移動しにくくなる。これにより、転写像にて、他の種類の現像剤の比率が低下する。
【００７５】
ここで、本実施形態では、上記のとおり、混合物情報に基づき、ずれの量についての情報を取得する際に用いる指標を決定する。
そして、決定した指標を用いて、ずれの量についての情報を取得する。言い換えると、決定した指標を用いて、比較ずれを把握する。
これにより、固定された１つの指標のみを用いてずれの量を取得する場合に比べ、ずれの量のより正確な把握を行える。
【００７６】
ここで、転写像における現像剤の比率が変化した場合に、この変化は、全ての指標の各々に均等に現れるのではなく、ある特定の指標に現れやすくなる。
例えば、混合物に含まれる現像剤が、無色透明の現像剤と黒の現像剤とである場合、現像剤の比率が変化すると、この変化は、明度に現れやすくなる。
【００７７】
また、例えば、混合物に含まれる現像剤が、イエローの現像剤と緑の現像剤である場合に、比率が変化すると、この変化は、ａ＊、ｂ＊に現れやすくなる。特に、ｂ＊に現れやすくなる。
このため、本実施形態では、上記のとおり、混合物情報に基づき、ずれの量についての情報を取得する際に用いる指標を決定する。この場合、指標が、混合物の内容に基づいた指標となり、色のずれの量のより正確な把握を行える。
【００７８】
（その他）
転写条件変更部４１は、転写条件を新たな転写条件に変更するにあたり、転写条件を次第に変更して（転写条件を順に変更して）、上記の比較ずれが予め定められた範囲内に収まるようになる転写条件を特定し、特定したこの転写条件を、新たな転写条件としてもよい。
【００７９】
より具体的には、この場合、まず、転写条件変更部４１は、転写条件を順に変更し、さらに、転写条件を変更する度に、比較ずれを把握する。
そして、転写条件変更部４１は、この比較ずれが予め定められた範囲内に収まるようになったら、そのときの転写条件を、新たな転写条件として設定する。
【００８０】
より具体的には、この場合、転写条件変更部４１は、例えば、二次転写部１３に印加される二次転写電圧の値が次第に大きくなるように又は次第に小さくなるように二次転写電圧を順に変更する。さらに、転写条件変更部４１は、二次転写電圧を変更する度に、形成される転写像についての比較ずれを把握する。
そして、転写条件変更部４１は、この比較ずれが予め定められた範囲内に収まるようになった際の二次転写電圧を特定し、特定したこの二次転写電圧を、新たな二次転写電圧として設定する。
【００８１】
なお、転写条件変更部４１は、転写条件を次第に変更して、新たな転写条件に変更するにあたっては、比較ずれが最も小さくなる転写条件を特定し、特定したこの転写条件を、新たな転写条件としてもよい。
この処理を行う場合、転写条件変更部４１は、比較ずれが予め定められた範囲内になったとしても、転写条件の変更をさらに継続して行う。
【００８２】
この場合、得られる比較ずれの値が、次第に減少し、比較ずれの値が最も小さくなってから、比較ずれの値が増加する場合があり、この状況が生じたら、転写条件変更部４１は、比較ずれの値が最も小さくなる転写条件を特定する。
そして、転写条件変更部４１は、比較ずれの値が最も小さくなるこの転写条件を、新たな転写条件として設定する。
【００８３】
ここで、比較ずれを小さくする処理は、この処理を行うための専用のモードにて行う場合に限らず、例えば、通常の画像形成の際に行うことができる。
より具体的には、例えば、特色が用いられての画像形成が行われる度に、転写条件を変更して、上記のように転写条件を次第に変更していく。
そして、転写条件の変更を行う度に、用紙Ｐ上に形成される転写像の読み取り結果を解析して、比較ずれを取得する。
【００８４】
そして、ある転写条件とした際に、予め定められた閾値よりも大きい状態にあった比較ずれが、予め定められた閾値よりも小さくなった場合、以後、この転写条件を用いるようにする。
この場合、上記の専用のモードでの処理（比較ずれを小さくするための専用の処理）を行わないでも、転写条件が、色ずれが生じにくい転写条件となる。
【００８５】
（その他）
上記では、画像読み取り部３０により得られた読み取り結果を解析し、この解析の結果が予め定められた条件を満たす場合に（ずれの量が予め定められた閾値を超えている場合に）、転写条件の変更処理を行う場合を説明した。
ここで、変更処理はこれに限らず、例えば、オペレータからの指示に応じて、変更処理を行うようにしてもよい。具体的には、例えば、転写像を目視で確認したオペレータからの指示に応じて、変更処理を行うようにしてもよい。
【００８６】
より具体的には、例えば、ユーザに対して、「画像が、黄色がかっているか？」などの問い合わせを行い、ユーザから、「黄色がかっている」との回答があった場合に、転写条件の変更処理を行うようにしてもよい。
この場合、ずれ情報取得部４２は、この黄色がかっている、という情報を、色のずれに関する情報として取得することになる。
【００８７】
また、上記では、中間転写ベルト１２を介して用紙Ｐに画像を転写する画像形成装置１における処理を一例に説明したが、上記の処理は、感光体ドラム１１１から用紙Ｐに直接画像を転写する画像形成装置１においても行える。
この場合も、用紙Ｐ上の形成される画像における色ずれに応じ、転写条件を変更することで、画像の色が、本来意図した色に近づくようになる。
【００８８】
また、上記では、画像形成装置１に設置された画像読み取り部３０により得られた読み取り結果から、色相、明度、彩度等の情報を得た。言い換えると、上記では、画像形成装置１に設置された画像読み取り部３０により得られた読み取り結果に基づき、転写像の色についての情報を得た。
但し、これに限らず、可搬型の測色器を用いて、色相、明度、彩度等の情報を取得して、転写像の色についての情報を取得するようにしてもよい。
【符号の説明】
【００８９】
１…画像形成装置、１２…中間転写ベルト、４１…転写条件変更部、１１１…感光体ドラム、１１４…現像装置、１３４…二次転写ロール
【図１】
2020154091.tif 000003
【図２】
2020154091.tif 000004
【図３】
2020154091.tif 000005
【図４】
2020154091.tif 000006
【図５】
2020154091.tif 000007
【図６】
2020154091.tif 000008
【図７】
2020154091.tif 000009